(57)【要約】【課題】いろんな種類のクスリを手の平に載せて服薬していたが、口の外にこぼす事があって、不明になるクスリもある、クスリを容器に取り出して目視確認のうえで、その容器から直接服薬でき、又容器が平面状に薄く折り畳めて携帯できる容器を提供する。【解決手段】略円筒状容器(2)(以下容器という)の、左右の外側の側面(B1・B2)を、上面開口部(1)より縦方向に下面まで、折り畳み部(6)設け、両側面(B1・B2)の内側より外側に突出して折り畳む、前記容器(2)内にヒンジ機能部(4)を介して一体に形成された略円形状の底板(3)(以下底板という)を設ける、前記容器(2)内に凹状の溝(5)を環状に形成してある前記溝(5)に、前記底板(3)が嵌脱自在に構成されている、該底板(3)を前記溝(5)に嵌合する事により前記容器(2)は、内側より押し広げられて開くことで底板として機能する、該底板(3)を、前記溝(5)より抜脱させて前記容器(2)を折り畳み、平面状に薄く折り畳めるように構成されている。【選択図】図１
2013188362.tif 000002
【特許請求の範囲】
【請求項１】
略円筒状容器(以下容器という)は、前記容器の左右の両側面に位置する外側の側面が、上面開口部より縦方向に下面まで、前記容器の他の部分より薄く形成された容器の折り畳み部が設けてあり、その両側面を内側より外側に突出して折り畳むように、構成した前記容器である、該容器は容器内の所定位置に、ヒンジ機能部を介して一体に形成された略円形状の底板(以下底板という)から成り、前記容器内の所定位置に凹状の溝を環状に設けてあり、前記底板が嵌脱自在に構成されている、該底板を前記溝に嵌合する事で前記容器は、内側より押し広げられて底板として機能するとともに開口された容器になる、該底板を、該溝より抜脱させて前記容器を折り畳み、平面状に薄く折り畳める服薬補助容器である。
【請求項２】
前記容器内の、側面で所定位置に一若しくは複数の突設部を設けて、前記底板を載置する、前記底板が着脱自在に係止されることを特徴とする請求項１記載の薄く折り畳める服薬補助容器である。
【請求項３】
前記容器内側面の所定位置に形成された固定部材に、該容器側面に平行して垂直に貫通する孔を設ける、又、別に形成した前記底板は、ヒンジ機能部を介して突片部を設けてあり、該容器側面に設けた貫通する孔に突片部を嵌合することを、特徴とする請求項１乃至2のいずれかに記載の薄く折り畳める服薬補助容器である。
【発明の詳細な説明】
【技術分野】
【０００１】
本発明は、服薬を補助する容器に関するものである。
【背景技術】
【０００２】
従来、服薬するときは、クスリを指でつまんだり、又は手のひらにクスリを乗せて飲んでいたが、手がぬれていたり、手が汗をかいて、クスリが手の平についていて、こぼれている事があった、又飲みクスリの量が多いとこぼれていて気がつかない事もあった。
【０００３】
一部の病院の入院病棟では、プラスチックの容器に入れて服薬させている所もあるが、普通の家庭では容器もじゃまに成り、面倒であるので手の平に載せて服薬している。
【０００４】
従来、クスリの飲み忘れの無いように、朝、昼、夕、寝る前、等とクスリを個別に入れて管理するように容器に分けたり、クスリを入れる携帯容器を持ち歩いたりする人もいたが、クスリを飲むときの、補助をする容器が無かった。
【０００５】
服薬をするときは、錠剤、カプセルなど数種類から色や数を確認する為に、紙などの上に仮置きをして、それを手の平に持ち替えて服薬しているが、手で触れることで、汗、汚れ、水分など付くと不衛生である、又手に持ち替えた時点で数量や種類の確認が不明確になる。因って服薬をするときに口の外にこぼれてしまう事があっても気がつかない事があった、
従って処方されたクスリを指示されたとおりに服薬できない恐れがある。
【発明の概要】
【発明が解決しようとする課題】
【０００６】
本発明は、上記の課題を解決するためになされたものであって、いろんな種類のクスリを
容器に取り出して目視確認をしたうえで、その容器から直接服薬することを目的とする容器を提供する。
【課題を解決するための手段】
【０００７】
上記目的を達成するために、本発明の、略円筒状容器(以下容器という)は、前記容器の左右の両側面に位置する外側の側面が、上面開口部より縦方向に下面まで、前記容器の他の部分より薄く形成された容器の折り畳み部が設けてあり、その両側面を内側より外側に突出して折り畳むように、構成した前記容器である、該容器は容器内の所定位置に、ヒンジ機能部を介して一体に形成された略円形状の底板(以下底板という)から成り、前記容器内の所定位置に凹状の溝を環状に設けてあり、前記底板が嵌脱自在に構成されている、該底板を前記溝に嵌合する事で前記容器は、内側より押し広げられて底板として機能するとともに開口された容器になる、該底板を、該溝より抜脱させて前記容器を折り畳み、平面状に薄く折り畳めるように構成されている。
【０００８】
請求項２に記載された発明は前記容器内の、側面で所定位置に一若しくは複数の突設部を設けてあり、前記底板を載置すると容器は内側より押し広げられて開口された容器と成る、前記底板が着脱自在に係止された、薄く折り畳めるように構成されている。
【０００９】
請求項３に記載された発明は、前記容器内側面の所定位置に形成された固定部材に、該容器側面に平行して垂直に貫通する孔を設ける、又、別に形成した前記底板は、ヒンジ機能部を介して突片部を設けてあり、該容器側面に設けた貫通する孔に突片部を嵌合するように構成されている。
【発明の効果】
【００１０】
本発明の薄く折り畳める服薬補助容器は、通常病院より処方されたクスリを服用するときは、数量や種類を確認して、手の平に載せて服薬をしているが、コボレ落としたときなどは、そのクスリが見つかればよいが、見つからないときは大変である。
【００１１】
いったん口に入れたクスリを出して、かわりのクスリを補充して服薬をすることが出来るが、本人にコボレ落とした認識が無いと、不測の事態も考えられることになる。
【００１２】
本発明の薄く折り畳める服薬補助容器は、カードのように薄く畳むことができ携帯にも便利なサイズであり、使用するときは容器の底板を上面開口部より押し込むだけで、容器の内側より押し広げられて開口された容器になる、又用が終われば逆の手順で薄く畳める。
【００１３】
開口された容器に入れたクスリは、数量や種類を確認して、容器ごと口にあてクスリを服薬するので衛生的でありコボレ落とす様なことが無く、カードケースに入れておけばゴミで汚れることも無い。
【００１４】
本容器は、合成樹脂(プラスチック・シリコーン樹脂、その他)等で一体成形されており、洗うことが出来るので衛生的に管理が出来る。
又本発明の要旨の範囲において、形状や、材質の変更を妨げるものではない。
【図面の簡単な説明】
【００１５】
本発明を説明するために容器および底板は特に厚く図示してある。
【図１】本発明の、容器の一例を示す斜視図である。
【図２】本発明の、底板を容器内部の溝に嵌合した構造を示す側面の一部切り欠き断面図        である。
【図３】本発明の、容器の溝より底板を抜脱して容器の中に折り畳んだ構造を示す側面の        断面図である。
【図４】本発明の、容器を折り畳んだ状態を示す側面の断面図である。
【図５】本発明の、容器の突設部の状態を示す断面図である。
【図６】本発明の、容器の折り畳んだ状態を示す正面図である。
【発明を実施するための形態】
【００１６】
以下、本発明における好ましい実施例について、添付図面に基づいて簡単に説明する。
【実施例１】
【００１７】
略円筒状容器(2)(以下容器という)は、前記容器の左右の両側面に位置する外側の側面(B1・B2)が、上面開口部(1)より縦方向に下面まで、前記容器(2)の他の部分より薄く形成された容器(2)の折り畳み部(6)が設けてあり、その両側面(B1・B2)を内側より外側に突出して折り畳むように、構成した前記容器(2)である、該容器は容器内の所定位置に、ヒンジ機能部(4)を介して一体に形成された略円形状の底板(3)(以下底板という)から成り、前記容器(2)内の所定位置に凹状の溝(5)を環状に設ける。
【００１８】
前記底板(3)が嵌脱自在に構成されている、該底板を前記溝(5)に嵌合する事で前記容器(2)は、内側より押し広げられて底板として機能するとともに開口された容器(2)になる、該底板(3)を、該溝(5)より抜脱させて前記容器(2)を折り畳み、平面状に薄く折り畳めるように構成されている。
【実施例２】
【００１９】
本発明の、第2実施例について、図5を参照しながら説明する。
前記容器(2)内の、側面で所定位置に一若しくは複数の突設部(7)を設けて、前記底板(3)を載置すると容器(2)は内側より押し広げられて開口された容器(2)と成る、前記底板(3)が着脱自在に係止された薄く折り畳める服薬補助容器である。
【実施例３】
【００２０】
本発明の、第3実施例について説明する。(図示しない)
前記容器(2)内側面の所定位置に形成された固定部材(図示しない)に、該容器側面に平行して垂直に貫通する孔(図示しない)を設ける、又、別に形成した前記底板(3)は、ヒンジ機能部(4)を介して突片部(図示しない)を設けてあり、該容器側面に設けた貫通する孔(図示しない)に突片部(図示しない)を嵌合するように構成されている該容器(2)である。
【００２１】
該容器(2)と、前記底板(3)はそれぞれ別々に形成されている。
該容器側面の所定位置に設けた貫通する孔に、底板(3)にヒンジ機能部を介して
設けた突片部を嵌合する容器である。
【００２２】
前記容器の開口部の形状が、略四角形その他の形状にすることを妨げるものではない。
【符号の説明】
【００２３】
1  上面開口部
2  略筒状容器(容器)
3  略円形状の底板(底板)
4  ヒンジ機能部
5  溝
6  折り畳み部
7  突設部
A  正面
B1・B2  側面
【図１】
2013188362.tif 000003
【図２】
2013188362.tif 000004
【図３】
2013188362.tif 000005
【図４】
2013188362.tif 000006
【図５】
2013188362.tif 000007
【図６】
2013188362.tif 000008
【手続補正書】
【提出日】平成24年4月4日(2012.4.4)
【手続補正１】
【補正対象書類名】特許請求の範囲
【補正対象項目名】全文
【補正方法】変更
【補正の内容】
【特許請求の範囲】
【請求項１】
略円筒状容器(以下容器という)は可撓性を有する素材で形成されており、前記容器の左右の両側面に位置する外側の側面が、上面開口部より縦方向に下面まで、前記容器の他の部分より薄く形成された容器の折り畳み部が設けてあり、その両側面を内側より外側に突出して折り畳むように、構成した前記容器である、該容器は容器内の所定位置に、ヒンジ機能部を介して一体に形成された略円形状の底板(以下底板という)から成り、前記容器内の所定位置に凹状の溝を環状に設けてあり、前記底板が嵌脱自在に構成されている、該底板を前記溝に嵌合する事で前記容器は、内側より外側に押し広げられて底板として機能するとともに開口された容器になる、該底板を、該溝より抜脱させて前記容器を折り畳み、平面状に薄く折り畳める服薬補助容器である。
【請求項２】
前記容器内の、側面で所定位置に一若しくは複数の突設部を設けて、前記底板を載置する
、前記底板が着脱自在に係止されることを特徴とする請求項１記載の薄く折り畳める服薬
補助容器である。
【請求項３】
前記容器内側面の所定位置に形成された固定部材に、該容器側面に平行して垂直に貫通す
る一若しくは複数の孔を設ける、又、別に形成した前記底板は、ヒンジ機能部を介して一若しくは複数の突片部を設けてあり、該容器側面に設けた貫通する孔に突片部を嵌合することを、特徴とする請求項１乃至2のいずれかに記載の薄く折り畳める服薬補助容器である。
【手続補正２】
【補正対象書類名】明細書
【補正対象項目名】全文
【補正方法】変更
【補正の内容】
【発明の詳細な説明】
【技術分野】
【０００１】
本発明は、服薬を補助する容器に関するものである。
【背景技術】
【０００２】
従来、服薬するときは、クスリを指でつまんだり、又は手のひらにクスリを乗せて飲んで
いたが、手がぬれていたり、手が汗をかいて、クスリが手の平についていて、こぼれてい
る事があった、又飲みクスリの量が多いとこぼれていて気がつかない事もあった。
【０００３】
一部の病院の入院病棟では、プラスチックの容器に入れて服薬させている所もあるが、普
通の家庭では容器もじゃまに成り、面倒であるので手の平に載せて服薬している。
【０００４】
従来、クスリの飲み忘れの無いように、朝、昼、夕、寝る前、等とクスリを個別に入れて
管理するように容器に分けたり、クスリを入れる携帯容器を持ち歩いたりする人もいたが
、クスリを飲むときの、補助をする容器が無かった。
【０００５】
服薬をするときは、錠剤、カプセルなど数種類から色や数を確認する為に、紙などの上に
仮置きをして、それを手の平に持ち替えて服薬しているが、手で触れることで、汗、汚れ
、水分など付くと不衛生である、又手に持ち替えた時点で数量や種類の確認が不明確にな
る。因って服薬をするときに口の外にこぼれてしまう事があっても気がつかない事があっ
た、
従って処方されたクスリを指示されたとおりに服薬できない恐れがある。
【０００６】
改善する手段として、下記の特許文献に開示されている技術が知られている。
これらを簡単に説明すると、特許文献１では、容器に錠剤、カプセルなどの医薬品を収容して、片手でも容易に開閉操作ができ収容物を取り出しやすい携帯容器が開示されている。  
【０００７】
また、特許文献2では、不要時には扁平な形状を保ち、使用時には開口部が広がるような自立性のある、ドンブリ形状の折り畳みカップ容器が開示されている。
【０００８】
また、特許文献3では、周縁部が全周にわたって閉塞された紙製またはプラスチック製の袋体を上端部に切り取り部を形成した携帯に便利な、液体等容器が開示されている。
【０００９】
前記、特許文献１に開示されている携帯容器の技術は、処方された多種類の錠剤やカプセルなどの医薬品を一つの容器に収納して必要分を取り出して服用するには、手の平または補助容器が必要になり好ましくない。
【００１０】
特許文献2に開示されている折り畳み容器は、本来カップラーメンなど汁物いれる容器として開発されたものであり、複雑な折り曲げ構造の上、寸法を小さくしても服薬の補助容器には不向きに思える。
【００１１】
特許文献3に開示されている封筒状の容器は、自立性を持っていない為に多種類のクスリを収めても、片手作業になり数量確認などに不都合である。
【先行技術文献】
【特許文献】
【００１２】
【特許文献１】特開平8-337260号公報
【特許文献２】特開2008-239209号公報
【特許文献３】特開2011-16538号公報
【発明の概要】
【発明が解決しようとする課題】
【００１３】
本発明は、上記の課題を解決するためになされたものであって、いろんな種類のクスリを
容器に取り出して目視確認をしたうえで、その容器から直接服薬することを目的とする容
器を提供する。
【課題を解決するための手段】
【００１４】
上記目的を達成するために、本発明の、略円筒状容器(以下容器という)は可撓性を有する素材で形成されており、前記容器の左右の両側面に位置する外側の側面が、上面開口部より縦方向に下面まで、前記容器の他の部分より薄く形成された容器の折り畳み部が設けてあり、その両側面を内側より外側に突出して折り畳むように、構成した前記容器である、該容器は容器内の所定位置に、ヒンジ機能部を介して一体に形成された略円形状の底板(以下底板という)から成り、前記容器内の所定位置に凹状の溝を環状に設けてあり、前記底板が嵌脱自在に構成されている、該底板を前記溝に嵌合する事で前記容器は、内側より外側に押し広げられて底板として機能するとともに開口された容器になる、該底板を、該溝より抜脱させて前記容器を折り畳み、平面状に薄く折り畳めるように構成されている。
【００１５】
請求項２に記載された発明は前記容器内の、側面で所定位置に一若しくは複数の突設部を
設けてあり、前記底板を載置すると容器は内側より外側に押し広げられて開口された容器と成る、前記底板が着脱自在に係止されて、薄く折り畳めるように構成されている。
【００１６】
請求項３に記載された発明は、前記容器内側面の所定位置に形成された固定部材に、該容
器側面に平行して垂直に貫通する一若しくは複数の孔を設ける、又、別に形成した前記底板は、ヒンジ機能部を介して一若しくは複数の突片部を設けてあり、該容器側面に設けた貫通する孔に突片部を嵌合するように構成されている。
【発明の効果】
【００１７】
本発明の薄く折り畳める服薬補助容器は、通常病院より処方されたクスリを服用するとき
は、数量や種類を確認して、手の平に載せて服薬をしているが、コボレ落としたときなど
は、そのクスリが見つかればよいが、見つからないときは大変である。
【００１８】
いったん口に入れたクスリを出して、かわりのクスリを補充して服薬をすることが出来る
が、本人にコボレ落とした認識が無いと、不測(発作、又は生命に係わることなど)の事態も考えられることになる。
【００１９】
本発明の薄く折り畳める服薬補助容器は、カードのように薄く畳むことができ携帯にも便
利なサイズであり、使用するときは容器の底板を上面開口部より容器側面の内側から外側に容器が押し広がるように押し込むことで、開口された容器になる、又用が終われば逆の手順で薄く畳める。
【００２０】
開口された容器に入れたクスリは、数量や種類を確認して、容器ごと口にあてクスリを服
薬するので衛生的でありコボレ落とす様なことが無く、カードケースに入れておけばゴミ
で汚れることも無い。
【００２１】
本容器は、可撓性の合成樹脂(プラスチック・シリコーン樹脂、その他)等で一体に形成されており、洗うことが出来るので衛生的に管理が出来る。
又本発明の要旨の範囲において、形状や、材質の変更を妨げるものではない。
【図面の簡単な説明】
【００２２】
本発明を説明するために容器および底板は特に厚く図示してある。
【図１】本発明の、容器の一例を示す斜視図である。
【図２】本発明の、底板を容器内部の溝に嵌合した構造を示す側面の一部切り欠き断        面            図である。
【図３】本発明の、容器の溝より底板を抜脱して容器の中に折り畳んだ構造を示す側            面の断面図である。
【図４】本発明の、容器を折り畳んだ状態を示す側面の断面図である。
【図５】本発明の、容器の突設部の状態を示す断面図である。
【図６】本発明の、容器の折り畳んだ状態を示す正面図である。
【発明を実施するための形態】
【００２３】
以下、本発明における好ましい実施例について、添付図面に基づいて簡単に説明する。
【実施例１】
【００２４】
略円筒状容器(2)(以下容器という)は可撓性を有する素材で形成されており、前記容器の左右の両側面に位置する外側の側面(B1・B2)が、上面開口部(1)より縦方向に下面まで、前記容器(2)の他の部分より薄く形成された容器(2)の折り畳み部(6)が設けてあり、その両側面(B1・B2)を内側より外側に突出して折り畳むように、構成した前記容器(2)である、該容器は容器内の所定位置に、ヒンジ機能部(4)を介して一体に形成された略円形状の底板(3)(以下底板という)から成り、前記容器(2)内の所定位置に凹状の溝(5)を環状に設ける。
【００２５】
前記底板(3)が嵌脱自在に構成されている、該底板を前記溝(5)に嵌合する事で前記容器(2
)は、内側より外側に押し広げられて底板として機能するとともに開口された容器(2)になる、該底板(3)を、該溝(5)より抜脱させて前記容器(2)を折り畳み、平面状に薄く折り畳めるように構成されている。
【実施例２】
【００２６】
本発明の、第2実施例について、図5を参照しながら説明する。
前記容器(2)内の、側面で所定位置に一若しくは複数の突設部(7)を設けて、前記底板(3)
を載置すると容器(2)は内側より外側に押し広げられて開口された容器(2)と成る、前記底板(3)が着脱自在に係止された薄く折り畳める服薬補助容器である。
【実施例３】
【００２７】
本発明の、第3実施例について説明する。(図示しない)
前記容器(2)内側面の所定位置に形成された固定部材(図示しない)に、該容器側面に平行
して垂直に貫通する一若しくは複数の孔(図示しない)を設ける、又、別に形成した前記底板(3)は、ヒンジ機能部(4)を介して一若しくは複数の突片部(図示しない)を設けてあり、該容器側面に設けた貫通する孔(図示しない)に突片部(図示しない)を嵌合するように構成されている。
【００２８】
該容器(2)と、前記底板(3)はそれぞれ別々に形成されている。
該容器側面の所定位置に設けた貫通する孔に、底板(3)にヒンジ機能部を介して
設けた突片部を嵌合する容器である。
【００２９】
前記容器の開口部の形状が、略四角形その他の形状にすることを妨げるものではない。
【符号の説明】
【００３０】
1 上面開口部
2 略筒状容器(容器)
3 略円形状の底板(底板)
4 ヒンジ機能部
5 溝
6 折り畳み部
7 突設部
A 正面
B1．B2 側面